(57)【特許請求の範囲】
【請求項１】
放送用の映像ファイルを収録する素材サーバと、編集した映像ファイルデータを記録し再生した映像ファイルデータをデコードして映像信号として出力する送出サーバとを、１系と２系とに完全二重化して有するビデオサーバシステムにおいて、
前記素材サーバの収録及び再生と前記送出サーバの記録と出力とを制御する制御装置と、前記素材サーバ同士を同期用に接続する同期用ＬＡＮとを備え、
片方の系の前記素材サーバに障害が生じ映像ファイルデータの復旧が必要になった場合、該片方の系の素材サーバが復旧した時点で、該片方の系の素材サーバと他方の系の素材サーバとの映像ファイルデータの差分をリスト化し、前記片方の系の素材サーバでも映像ファイルデータの収録を開始するとともに、前記リスト化した差分映像ファイルデータの収録時刻が新しいものから順に、前記他方の系の素材サーバから前記同期用ＬＡＮ経由で前記片方の系の素材サーバに映像ファイルデータを複写し、
前記他方の系の素材サーバでは、前記映像ファイルデータの復旧中も、蓄積期限に従い収録日の古い映像ファイルデータから削除を行い、
前記リスト化した差分映像ファイルデータが前記他方の素材サーバから前記片方の系の素材サーバに複写し終えるかまたは、前記片方の素材サーバに複写していない前記リスト化した差分映像ファイルデータが前記他方の系の素材サーバに存在しなくなったら、同期の動作を終了するものであり、
前記映像ファイルデータの復旧中、前記片方の系の送出サーバと前記他方の系の送出サーバは、前記他方の系の素材サーバから映像ファイルデータを取得してデコードすることを特徴とするビデオサーバシステム。
【請求項２】
請求項１のビデオサーバシステムにおいて、前記片方の系の素材サーバが障害となった場合、前記片方の系の素材サーバが復旧した時点で、前記片方の系の送出サーバから、過去に当該片方の系の素材サーバからコピー転送され蓄積されている映像ファイルデータを取得してから、前記他方の系の素材サーバとの同期を行うことを特徴とするビデオサーバシステム。
【請求項３】
放送用の映像ファイルを収録し、編集した映像ファイルデータを記録し、再生した映像ファイルデータをデコードして映像信号として出力する、デコーダ内蔵のビデオサーバを、現用側と予備側とに完全二重化して有するビデオサーバシステムにおいて、
前記ビデオサーバの収録、記録、再生及び出力とを制御する制御装置と、前記ビデオサーバ同士を同期用に接続する同期用ＬＡＮとを備え、
前記ビデオサーバの片方が障害となった場合、該片方のビデオサーバが復旧した時点で、該片方のビデオサーバと前記ビデオサーバの他方との映像ファイルデータの差分をリスト化し、その後、前記片方のビデオサーバでも映像ファイルデータの収録を開始するとともに、前記リスト化した差分映像ファイルデータの収録時刻が新しいものから順に、前記他方のビデオサーバから前記同期用ＬＡＮ経由で前記片方のビデオサーバに映像ファイルデータを複写し、
前記他方のビデオサーバでは、前記映像ファイルデータの復旧中も、蓄積期限に従い収録日の古い映像ファイルデータから削除を行い、
前記リスト化した差分映像ファイルデータが前記他方のビデオサーバから前記片方のビデオサーバに複写し終えるかまたは、前記片方のビデオサーバに複写していない前記リスト化した差分映像ファイルデータが前記他方のビデオサーバに存在しなくなったら、同期の動作を終了するものであり、
前記映像ファイルデータの復旧中、前記片方のビデオサーバ及び前記他方のビデオサーバに内蔵された前記デコーダのそれぞれは、前記他方のビデオサーバから映像ファイルデータを取得してデコードすることを特徴とするビデオサーバシステム。
【発明の詳細な説明】
【技術分野】
【０００１】
本発明は、番組素材を、ビデオサーバに映像ファイルデータ形式で記録し再生しデコードしてオンエアーする方式のビデオサーバシステムに関するものである。
【背景技術】
【０００２】
ＨＤＴＶ（High  Definition  TeleVision）放送業務では、従来からビデオサーバを備えたノンリニアバンクシステムを用い、ＶＴＲ(Video  Tape  Recorder）等の記録装置に記録されている番組やＣＭ等の放送素材を、ビデオサーバに記録（以下収録と省略）した上で、再生しデコードしてオンエアーして放送している（特許文献１参照）。ビデオサーバの入出力信号が非圧縮の映像信号から、圧縮された映像ファイルデータ形式となり、テープレスシステムと呼称されるようになった。
つまり、テープレスシステムでは、放送素材の映像信号をＭＰＥＧ（Moving  Picture  Experts  Group）等で動画圧縮（エンコード）し、映像ファイルデータとして収録し再生する。
【０００３】
従来のネットワーク型ビデオサーバシステムの素材サーバ１障害時の障害復旧中のデータ取得経路の模式図を図３に示す。
図３は、完全二重化の冗長システムであり、１系、２系共に同用のハードウェア構成となっている。片系のビデオサーバシステムの主なハードウェアは編集機やＶＴＲ等の入力ソースから素材の映像ファイルデータを取り込み蓄積しておく素材（映像ファイルデータ登録）サーバ、直近（例えば数日間）の送出素材の映像ファイルデータを素材サーバからコピー転送し蓄積しておき内蔵するデコーダでデコードした映像を送出する送出サーバ、上位システムから制御信号を受け送出サーバに内蔵されたデコーダを制御する送出コントローラ等で構成されている。尚、素材サーバには大容量のスペックを求められるためＨＤＤ（Hard  Disk  Drive）を用い、送出サーバにはディスクの安定性を求められるためＳＳＤ（Ｓｏｌｉｄ  State  Drive）を用いている。
【０００４】
素材サーバでは、納品された素材映像、回線等で収録した素材映像をファイル化し、放送で使用するまで、または、アーカイブシステムに転送するまでの間、蓄える機能を有する。
【０００５】
アーカイブシステムは、安価で容量は大きいが保存や再生に時間がかかるデータテープメディアを使用することが多い。
このため、素材サーバにのみ映像ファイルデータが存在する場合があるため、素材サーバは２重化、ディクスもＲＡＩＤ構成とし、運用の可用性を確保し、映像ファイルデータの消失が無いように構成しているが、物理的に映像ファイルデータが消失する可能性はあるため、障害時の復旧手段が必要となる。
素材サーバは２重化、ＲＡＩＤ構成として素材データを保護していても、ハード障害となった場合、復旧すべき映像ファイルデータ量が多いため、運用をとめて素材サーバ間で素材の映像ファイルデータが一致する処理を行うことは、放送までとめることになる。
【０００６】
具体的には、従来のビデオサーバシステムの素材サーバ１障害時の映像ファイルデータ取得経路の模式図の図２のように、素材サーバ１が障害になった場合、素材収録は、素材サーバ２でのみ素材を収録する。素材サーバ２にしか放送用映像ファイルデータは存在しないため、各送出サーバの素材取得先は、すべて素材サーバ２からとなり、素材サーバ２を止めて素材サーバ１を復旧する方式をとることはできない。
【０００７】
従来のビデオサーバシステムの素材サーバ１障害時の障害復旧中の映像ファイルデータ取得経路の模式図の図３に示すように、素材サーバ１が障害となり復旧した場合、素材サーバ２から同期を行った場合、素材サーバ１，２間の差分を素材サーバ１へ転送するが、同期に時間がかかる場合、新しく収録する映像ファイルデータは、素材サーバ２だけで蓄積していると新たな差分映像ファイルデータとなってしまい、同期完了後に再度同期処理が必要となり、同期処理が終了しない状態になる。
【０００８】
定量的には、ＨＤＴＶデータは、音声を含み１００Ｍｂｐｓ程度なので、１時間番組を収録した場合のファイルサイズは、以下の通りとなる。
１００（Ｍｂｐｓ）＊６０（分）×６０（秒）＝ ３６０Ｇｂｉｔ＝４５Ｇｂｙｔｅ
素材サーバに１ヶ月の番組が蓄積できると仮定すると
３６０×２４（時間）×３１日＝２６８Ｔｂｉｔ＝３４Ｔｂｙｔｅ
このデータを１Ｇｂｐｓのネットワーク（実行速度では、６００Ｍｂｐｓと想定）で転送した場合、約５日かかる。
【０００９】
つまり、復旧時に素材サーバ２で映像ファイルデータを収録しながら、素材サーバ２から送出サーバは映像ファイルデータを取得し放送を行う方式では、新しく収録されるデータ素材の同期は、困難になる。
【先行技術文献】
【特許文献】
【００１０】
【特許文献１】特開２００９−１１７９８９号公報
【発明の概要】
【発明が解決しようとする課題】
【００１１】
本発明は、放送で使用する映像ファイルデータを蓄積する現用側と予備側との素材サーバにおいて、現用側または予備側に障害が発生しても運用を行いながら消失した映像ファイルデータの復旧を効率的に行うことを目的とする。
【課題を解決するための手段】
【００１２】
本発明は、上記の目的を達成するために、放送用の映像ファイルを収録する素材サーバと、編集した映像ファイルデータを記録し再生した映像ファイルデータをデコードして映像信号として出力する送出サーバとを、現用側と予備側とに完全二重化して有するビデオサーバシステムにおいて、前記素材サーバの収録と再生と前記送出サーバの記録と出力とを制御する制御装置を有し、前記素材サーバ同士を同期用に接続し、前記素材サーバの片方が障害となった場合、該片方の素材サーバが復旧した時点で、該片方の素材サーバと前記素材サーバの他方の素材サーバとの素材映像ファイルデータの過不足をリスト化し、前記片方の素材サーバでも素材映像ファイルデータの収録を開始し、前記片方の送出サーバと前記他方の送出サーバとは、前記他方の素材サーバから映像ファイルデータを取得し、前記リスト化した差分素材の収録時刻が新しいものから順に前記他方の素材サーバから前記同期用の接続経由で前記片方の素材サーバに素材映像ファイルデータを複写し、前記他方の素材サーバでは、蓄積期限に従い収録日の古い映像ファイルデータから削除を行い、前記リスト化した差分素材映像ファイルデータが前記他方の素材サーバから前記片方の素材サーバに複写し終えるかまたは、前記片方の素材サーバに複写していない前記リスト化した差分素材映像ファイルデータが前記他方の素材サーバに存在しなくなったら、同期の動作を終了することを特徴とするビデオサーバシステムの制御方法である。
【００１３】
さらに、上記のビデオサーバシステムにおいて、前記片方の素材サーバが障害となった場合、前記片方の素材サーバが復旧した時点で、前記片方の送出サーバから前記片方の素材サーバに映像ファイルデータを取得してから、上記のビデオサーバシステムの制御方法を行うことを特徴とするビデオサーバシステムの制御方法である。
【００１４】
また、放送用の映像ファイルを収録し編集した映像ファイルデータを記録し再生した映像ファイルデータをデコードして映像信号として出力するデコーダ内蔵ビデオサーバとを、現用側と予備側とに完全二重化して有するビデオサーバシステムにおいて、前記ビデオサーバの収録と再生と記録と出力とを制御する制御装置を有し、前記ビデオサーバ同士を同期用に接続し、前記ビデオサーバの片方が障害となった場合、該片方のビデオサーバが復旧した時点で、該片方のビデオサーバと前記ビデオサーバの他方との素材映像ファイルデータの過不足をリスト化し、前記片方のビデオサーバでも素材映像ファイルデータの収録を開始し、前記片方のビデオサーバの内蔵デコーダと前記他方のビデオサーバの内蔵デコーダとは、前記他方のビデオサーバから映像ファイルデータを取得し、前記リスト化した差分素材の収録時刻が新しいものから順に前記他方のビデオサーバから前記同期用の接続経由で前記片方のビデオサーバに素材映像ファイルデータを複写し、前記他方のビデオサーバでは、蓄積期限に従い収録日の古い映像ファイルデータから削除を行い、前記リスト化した差分素材映像ファイルデータが前記他方のビデオサーバから前記片方のビデオサーバに複写し終えるかまたは、前記片方のビデオサーバに複写していない前記リスト化した差分素材映像ファイルデータが前記他方のビデオサーバに存在しなくなったら、同期の動作を終了することを特徴とするビデオサーバシステムの制御方法である。
【発明の効果】
【００１５】
以上のように本発明によれば、放送で使用する映像ファイルデータを蓄積する現用側と予備側との素材サーバにおいて、現用側または予備側に障害が発生しても、運用を行いながら、消失した映像ファイルデータの復旧を効率的に行うことができる。
【図面の簡単な説明】
【００１６】
【図１】本発明の１実施例のビデオサーバシステムの構成を示すブロック図
【図２】従来のビデオサーバシステムの素材サーバ１障害時の映像ファイルデータ取得経路の模式図
【図３】従来のビデオサーバシステムの素材サーバ１障害時の障害復旧中の映像ファイルデータ取得経路の模式図
【図４】本発明の１実施例のビデオサーバシステムの素材サーバ１障害時の障害復旧中の映像ファイルデータ取得経路の模式図
【図５】本発明の１実施例のビデオサーバシステムの素材サーバ１障害時の障害復旧中の映像ファイルデータ転送の模式図
【発明を実施するための形態】
【実施例１】
【００１７】
まず素材サーバを２重化し、ＨＤＤもＲＡＩＤ構成としたビデオサーバシステムのブロック図の一例を図１に示す。本システムにアーカイブシステムが接続されることも想定されるが、本発明の説明では不要であるため記載しない。
図１において、１は素材（映像）回線、２は素材（映像）ＶＴＲ、３は素材（映像）ファイル再生機であり、４は上位システムから制御信号を受け送出サーバに内蔵されたデコーダを制御するコントローラ、５と６は素材の映像ファイルデータを取り込み蓄積しておく素材（映像ファイルデータ登録）サーバで７と８は素材サーバＨＤＤであり、９と１０はＳＳＤとデコーダとを内蔵し直近（例えば数日間）の送出素材の映像ファイルデータを素材サーバからコピー転送し蓄積しておき内蔵するデコーダでデコードした映像を送出する送出サーバである。素材サーバ７と８は同期用に接続し、例えば同期用ＬＡＮで接続されている。
【００１８】
素材サーバは、可用性を考慮し、２台構成とし、回線データ、ＶＴＲ、素材映像ファイルデータを各々素材サーバで独立して同時に収録を行う。これにより、どちらか一方が停止した場合でも素材映像ファイルデータの収録を継続して行うことができる。素材サーバは、入力した映像をファイルデータ化して蓄積することもできる。
送出サーバは、コントローラの放送で使用する素材映像ファイルデータの取得先指示に従い、素材映像ファイルデータを素材サーバから取得し蓄積しておく。
【００１９】
次に、従来のビデオサーバシステムの素材サーバ１障害時の映像ファイルデータ取得経路の模式図の図２と、従来のビデオサーバシステムの素材サーバ１障害時の障害復旧中の映像ファイルデータ取得経路の模式図の図３と、本発明の１実施例のビデオサーバシステムの素材サーバ１障害時の障害復旧中の映像ファイルデータ取得経路の模式図の図４との比較から本発明を説明する。
【００２０】
本発明の動作として、以下の動作となる。
（１）ＶＴＲ、回線データ、素材映像ファイルデータを素材サーバ２台で収録・蓄積を行う。これにより、素材サーバ１系、２系は同じ映像ファイルデータを保持することになる。
（２）回線データの収録は、送信されてくる時間が決まっているため、タイマー収録で素材を収録する。
（３）素材サーバに蓄積された素材映像ファイルデータは、定時点、もしくは、送出サーバからの取得要求に従い、送出サーバへ転送する。
（４）送出サーバは、取得した素材映像ファイルデータを番組の配信時間に従い、放送を行う。
送出サーバは、上位機器指示の素材サーバから映像ファイルデータを取得する。
【００２１】
この構成で１台の素材サーバがハード障害となり、映像ファイルデータが消えてしまった場合、映像ファイルデータの復旧が必須となる。
単純に消えた映像ファイルデータを復旧するのに５日間（計算値参照）かかるため、この間放送停止、収録停止とすることはできない。
仮に素材サーバ１が障害となった場合、素材サーバ２は正常に動作しているため、すべての素材映像ファイルデータは素材サーバ２に存在することになる。
【００２２】
従来のビデオサーバシステムの素材サーバ１障害時のデータ取得経路の模式図の図２のように、素材サーバ１が障害になった場合、素材サーバ２にしか放送用映像ファイルデータは存在しないため、各送出サーバの素材取得先は、すべて素材サーバ２からとなり、素材サーバ２を止めて素材サーバ１を復旧する方式をとることはできない。
【００２３】
従来のビデオサーバシステムの素材サーバ１障害時の障害復旧中の映像ファイルデータ取得経路の模式図の図３に示すように、復旧時に素材サーバ２で映像ファイルデータを収録しながら、素材サーバ２から送出サーバはデータを取得（または受け取り）し、放送を行う方式では、新しく収録される素材映像ファイルデータの同期は、困難になる。
【００２４】
よって、本発明の１実施例のビデオサーバシステムの素材サーバ１障害時の障害復旧中の映像ファイルデータ転送の模式図の図５のように、以下の方法で復旧を行う。
（１）素材サーバ１が復旧した時点で、素材サーバ１，２の素材の過不足をリスト化する。
（２）（１）完了時点から素材サーバ１でも収録は開始する。
素材サーバには映像ファイルデータは存在しないため、送出サーバは今まで通り、素材サーバ２から映像ファイルデータを取得し、放送を行う。
（３）素材サーバ１で素材同期を実行する。同期は同期用ＬＡＮを使用し、（１）で取得した差分素材の収録時刻が新しいものから順に素材サーバ２から素材を取得する。
（４）素材サーバ２では、蓄積期限に従い、収録日の古い映像ファイルデータから削除を行う。
（５）素材サーバ１では、差分リストに含まれているが素材サーバから不要になった映像ファイルデータが故意に削除された場合等で素材サーバ２に存在時なくなった映像ファイルデータは、スキップして次の素材の転送を行う。
（６）素材サーバ１で転送するべき映像ファイルデータがなくなった時点で、同期終了となる。
【００２５】
同期用ＬＡＮ、収録を行いながら同期を取る、本システムでは収録日が古いものから削除されることから、差分の新しいファイルから同期を取るようにすることで無駄なファイルを転送せずに同期を取ることができる。
【実施例２】
【００２６】
さらに、送出サーバから素材サーバに映像ファイルデータを復旧してから、素材サーバ間の映像ファイルデータを同一化することも可能である。
実施例１と実施例２と同一部分の説明は省略し、相違部分を中心に説明する。
【００２７】
実施例１と実施例２と本発明の１実施例のビデオサーバシステムの構成を示すブロック図の図１の構成は同一である。
送出サーバに保存された、直近（例えば数日間）の送出素材の映像ファイルデータを素材サーバに転送してから、実施例１の動作を行い、実施例１単独より短時間に映像ファイルデータを同一化する。
【実施例３】
【００２８】
また、素材サーバと送出サーバが統合された統合サーバ間で映像ファイルデータを同一化することも可能である。
実施例１と実施例２と同一部分の説明は省略し、相違部分を中心に説明する。
【００２９】
実施例３では、本発明の１実施例のビデオサーバシステムの構成を示すブロック図の図１において、素材サーバ１と送出サーバ１が統合され、素材サーバ２と送出サーバ２が統合されている。素材サーバと送出サーバが統合されているため、障害となり復旧した片方のビデオサーバの内蔵デコーダと他方のビデオサーバの内蔵デコーダとは、前記他方のビデオサーバから映像ファイルデータを取得する点が異なる。
実施例３のその他の動作は、実施例１と同一である。
【００３０】
つまり、放送用の映像ファイルを収録し編集した映像ファイルデータを記録し再生した映像ファイルデータをデコードして映像信号として出力するデコーダ内蔵ビデオサーバとを、現用側と予備側とに完全二重化して有するビデオサーバシステムにおいて、前記ビデオサーバの収録と再生と記録と出力とを制御する制御装置を有し、前記ビデオサーバ同士を同期用に接続し、前記ビデオサーバの片方が障害となり、該片方のビデオサーバが復旧したとする。
その時点で、該片方のビデオサーバと前記ビデオサーバの他方との素材映像ファイルデータの過不足をリスト化し、前記片方のビデオサーバでも素材映像ファイルデータの収録を開始する。
前記片方のビデオサーバの内蔵デコーダと前記他方のビデオサーバの内蔵デコーダとは、前記他方のビデオサーバから映像ファイルデータを取得する。
前記リスト化した差分素材の収録時刻が新しいものから順に前記他方のビデオサーバから前記同期用の接続経由で前記片方のビデオサーバに素材映像ファイルデータを複写する。
前記他方のビデオサーバでは、蓄積期限に従い収録日の古い映像ファイルデータから削除を行い、前記リスト化した差分素材映像ファイルデータが前記他方のビデオサーバから前記片方のビデオサーバに複写し終えるかまたは、前記片方のビデオサーバに複写していない前記リスト化した差分素材映像ファイルデータが前記他方のビデオサーバに存在しなくなったら、同期の動作を終了する。
【符号の説明】
【００３１】
１：素材（映像）回線、２：素材（映像）ＶＴＲ、３：素材（映像）ファイル再生機、４：コントローラ、
５，６：素材サーバ、７，８：素材サーバＨＤＤ、
９，１０：ＳＳＤとデコーダとを内蔵した送出サーバ、
【図１】
0005863259.tif 000002
【図２】
0005863259.tif 000003
【図３】
0005863259.tif 000004
【図４】
0005863259.tif 000005
【図５】
0005863259.tif 000006